(57)【要約】【課題】部品点数が増加したり、大型化したり、駆動負荷が増加したりすることなく、レンズの移動量をより大きくできるレンズ鏡筒、カメラを提供する。【解決手段】ズーム位置Ｐ１よりワイド側では、第１レンズ群Ｌ１をカム溝４０ａによる繰り出しに加えて送りねじ８６による繰り出しを併用して、ズーム動作で必要な第１レンズ群Ｌ１の繰り出し量を確保する。また、ズーム位置Ｐ２よりワイド側では、最短撮影距離を長くして、フォーカス動作時の第１レンズ群Ｌ１の繰り出し量を少なくする。【選択図】図５
2007333764.tif 000002
【特許請求の範囲】
【請求項１】
焦点距離の変更が可能な光学系と、
前記光学系の焦点距離を変更する焦点距離変更動作時に前記光学系の少なくとも一部を光軸に沿って移動させる第１の駆動機構と、
前記光学系の合焦位置を移動するフォーカス動作時にフォーカスレンズ群を光軸に沿って移動する第２の駆動機構と、
を備え、
前記フォーカスレンズ群は、前記焦点距離変更動作時に、前記第１の駆動機構による移動量に前記第２の駆動機構による移動量を加えた移動量の移動を行うこと、
を特徴とするレンズ鏡筒。
【請求項２】
請求項１に記載のレンズ鏡筒において、
前記第１の駆動機構と前記第２の駆動機構とは、それぞれ異なるアクチュエータにより駆動されること、
を特徴とするレンズ鏡筒。
【請求項３】
請求項１又は請求項２に記載のレンズ鏡筒において、
前記光学系は、最も被写体側に設けられたレンズ群を移動させることにより前記フォーカス動作が可能なフロントフォーカス型の光学系であり、
前記第２の駆動機構は、前記最も被写体側に設けられたレンズ群を移動させること、
を特徴とするレンズ鏡筒。
【請求項４】
請求項１から請求項３までのいずれか１項に記載のレンズ鏡筒において、
前記第２の駆動機構は、前記光学系の焦点距離が特定の範囲内であるときに限って、前記焦点距離変更動作時に前記フォーカスレンズ群を光軸に沿って移動すること、
を特徴とするレンズ鏡筒。
【請求項５】
請求項４に記載のレンズ鏡筒において、
前記特定の範囲は、焦点距離が短い側の領域であること、
を特徴とするレンズ鏡筒。
【請求項６】
請求項４又は請求項５に記載のレンズ鏡筒において、
前記特定の範囲における最短撮影距離は、前記特定の範囲以外の焦点距離範囲における最短撮影距離よりも長いこと、
を特徴とするレンズ鏡筒。
【請求項７】
請求項１から請求項６までのいずれか１項に記載のレンズ鏡筒において、
前記第１の駆動機構は、カム係合を用いた駆動機構であり、
前記第２の駆動機構は、送りねじを用いた駆動機構であること、
を特徴とするレンズ鏡筒。
【請求項８】
請求項３から請求項７までのいずれか１項に記載のレンズ鏡筒において、
最も被写体側に設けられたレンズ群は、前記フォーカス動作時にレンズ鏡筒の被写体側外枠から突出しないこと、
を特徴とするレンズ鏡筒。
【請求項９】
請求項１から請求項８までのいずれか１項に記載のレンズ鏡筒を備えるカメラ。
【発明の詳細な説明】
【技術分野】
【０００１】
本発明は、カメラ等の撮影装置に使用されるレンズ鏡筒、カメラに関するものである。
【背景技術】
【０００２】
カメラの非使用時にレンズ鏡筒をカメラ本体内に収納可能な、いわゆる沈胴式のレンズ鏡筒を備えたカメラが特許文献１に開示されている。
特許文献１に記載のカメラでは、沈胴状態とワイド状態との間の駆動、及び、ワイド状態とテレ状態との間の駆動を、複数設けられた筒部材が有するカム機構により行っている。
しかし、筒部材が有するカム機構では、ズーム動作によって移動するレンズ群の移動量を大きくしようとしたり、同じレンズ群の移動量であってもより光軸方向のサイズを小型化しようとしたりする場合には、筒部材をさらに多段構成としたり、カム筒の光軸方向の長さを長くしたりする必要があり、小型化の障害となるという問題があった。
また、ひとつの筒部材による繰り出し量を大きくするために、カムの圧力角度を大きくすると、駆動負荷が増大してしまうという問題があった。
【特許文献１】特開２００６−１７９２８号公報
【発明の開示】
【発明が解決しようとする課題】
【０００３】
本発明の課題は、部品点数が増加したり、大型化したり、駆動負荷が増加したりすることなく、レンズの移動量をより大きくできるレンズ鏡筒、カメラを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、焦点距離の変更が可能な光学系（Ｌ１，Ｌ２）と、前記光学系の焦点距離を変更する焦点距離変更動作時に前記光学系の少なくとも一部を光軸に沿って移動させる第１の駆動機構（４０，４０ａ，６８）と、前記光学系の合焦位置を移動するフォーカス動作時にフォーカスレンズ群（Ｌ１）を光軸に沿って移動する第２の駆動機構（８０，８６）と、を備え、前記フォーカスレンズ群は、前記焦点距離変更動作時に、前記第１の駆動機構による移動量に前記第２の駆動機構による移動量を加えた移動量の移動を行うこと、を特徴とするレンズ鏡筒（１）である。
請求項２の発明は、請求項１に記載のレンズ鏡筒において、前記第１の駆動機構（４０，４０ａ，６８）と前記第２の駆動機構（８０，８６）とは、それぞれ異なるアクチュエータにより駆動されること、を特徴とするレンズ鏡筒（１）である。
請求項３の発明は、請求項１又は請求項２に記載のレンズ鏡筒において、前記光学系（Ｌ１，Ｌ２）は、最も被写体側に設けられたレンズ群（Ｌ１）を移動させることにより前記フォーカス動作が可能なフロントフォーカス型の光学系であり、前記第２の駆動機構（８０，８６）は、前記最も被写体側に設けられたレンズ群を移動させること、を特徴とするレンズ鏡筒（１）である。
請求項４の発明は、  請求項１から請求項３までのいずれか１項に記載のレンズ鏡筒において、前記第２の駆動機構（８０，８６）は、前記光学系（Ｌ１，Ｌ２）の焦点距離が特定の範囲内であるときに限って、前記焦点距離変更動作時に前記フォーカスレンズ群（Ｌ１）を光軸に沿って移動すること、を特徴とするレンズ鏡筒（１）である。
請求項５の発明は、請求項４に記載のレンズ鏡筒において、前記特定の範囲は、焦点距離が短い側の領域であること、を特徴とするレンズ鏡筒（１）である。
請求項６の発明は、請求項４又は請求項５に記載のレンズ鏡筒において、前記特定の範囲における最短撮影距離は、前記特定の範囲以外の焦点距離範囲における最短撮影距離よりも長いこと、を特徴とするレンズ鏡筒（１）である。
請求項７の発明は、請求項１から請求項６までのいずれか１項に記載のレンズ鏡筒において、前記第１の駆動機構（４０，４０ａ，６８）は、カム係合を用いた駆動機構であり、前記第２の駆動機構（８０，８６）は、送りねじを用いた駆動機構であること、を特徴とするレンズ鏡筒（１）である。
請求項８の発明は、請求項３から請求項７までのいずれか１項に記載のレンズ鏡筒において、最も被写体側に設けられたレンズ群（Ｌ１）は、前記フォーカス動作時にレンズ鏡筒の被写体側外枠から突出しないこと、を特徴とするレンズ鏡筒（１）である。
請求項９の発明は、請求項１から請求項８までのいずれか１項に記載のレンズ鏡筒（１）を備えるカメラ（２００）である。
なお、符号を付した構成は適宜改良してもよい。また、少なくとも一部を他の構成物に代替してもよく、その配置について特に限定のない構成要件は、実施形態で開示した配置に限らない。
【発明の効果】
【０００５】
本発明によれば、部品点数が増加したり、大型化したり、駆動負荷が増加したりすることなく、レンズの移動量をより大きくできる。したがって、高倍率のズームレンズ鏡筒を小型にでき、また、駆動負荷が少ないので動作が滑らかで、かつ、消費電力の少ないレンズ鏡筒、及び、カメラを提供できる。
【発明を実施するための最良の形態】
【０００６】
以下、図面等を参照しながら、本発明の実施の形態について、更に詳しく説明する。
（実施形態）
図１は、本実施形態のレンズ鏡筒の光軸を含む断面における断面図であって収納状態を示している。
図２は、図１のレンズ鏡筒の撮影状態における断面図である。
図３は、直進筒６０及び直進筒６０に関連する部材を光軸方向像側から見た図である。
本実施形態の撮像装置は、レンズ非交換式のデジタルカメラ２００（以下、単に「カメラ２００」という）であり、非撮影時にその一部がカメラボディ２０１内に収納される沈胴式のレンズ鏡筒１を備えている。
このレンズ鏡筒１は、第１レンズ群Ｌ１、第２レンズ群Ｌ２、鏡筒ベース部１０、固定筒２０、中間筒３０、カム筒４０、直進ガイド筒５０、直進筒６０、第１レンズ群室７０、フォーカスレンズ駆動部８０、像ブレ補正ユニット（ＶＲユニット）９０を備えている。
【０００７】
第１レンズ群Ｌ１、及び、第２レンズ群Ｌ２は、光軸Ｏ１方向に沿って対物側（被写体側）から順次配列されている。これらの第１レンズ群Ｌ１、第２レンズ群Ｌ２は、協働して２群構成のズームレンズを構成するものである。また、第１レンズ群Ｌ１は、フォーカスレンズとしても機能するようになっている。
これらの第１レンズ群Ｌ１、第２レンズ群Ｌ２の光軸Ｏ１は、カメラ２００の通常撮影位置において、後述する中間筒３０、カム筒４０の回転中心軸線Ｏ２に対して下方に配置されている。ここで、本明細書において、カメラ２００の通常撮影位置とは、光軸Ｏ１を水平として横長の画像を撮影する際のカメラ２００の姿勢を指すものとする。
【０００８】
鏡筒ベース部１０は、カメラボディ２０１に対して固定された板状の部材である。
鏡筒ベース部１０には、ＣＣＤ１１、ＬＰＦ（光学ローパスフィルタ）１２が取り付けられている。ＣＣＤ１１は、第１レンズ群Ｌ１、第２レンズ群Ｌ２が結像する被写体像を電気的な信号に変換する固体撮像素子である。ＣＣＤ１１は、第２レンズ群Ｌ２の出射側に配置され、鏡筒ベース部１０の中央部分であって光軸Ｏ１と重なる位置に固定されている。
ＬＰＦ１２は、ＣＣＤ１１が取得する画像上におけるモアレの発生を防止するものである。ＬＰＦ１２は、第２レンズ群Ｌ２とＣＣＤ１１の撮像面部との間に設けられており、ＣＣＤ１１と同様に鏡筒ベース部１０に固定されている。
【０００９】
固定筒２０は、レンズ鏡筒１を構成する筒体のうち最も外径側に配置された筒体であって、鏡筒ベース部１０に固定されている。
固定筒２０は、一部分が外径側に突出しており、その突出した部分の内径側であって、後述する中間筒３０の外径側に駆動ギア２１が配置されている。駆動ギア２１は、中心軸２２に嵌合することにより、回転可能となっており、図示しないズーム駆動モータからの出力を伝える減速ギア列とかみ合っている。この中心軸２２は、鏡筒ベース部１０に形成された孔部を貫通し、固定筒２０の内部に突き出して設けられており、中心軸２２の回転軸線方向は、光軸Ｏ１と略平行となっている。
固定筒２０は、その内周面部に光軸Ｏ１方向に延在して形成された直進案内溝２３を備えている。この直進案内溝２３は、後述するストッパリング３５の突起３７が挿入されるものである。
【００１０】
中間筒３０は、固定筒２０の内径側に挿入された筒体である。中間筒３０は、光軸方向像側の外周面部に前述した駆動ギア２１に噛み合うギア部３１を備えている。また、中間筒３０は、外周面部にカムフォロワ３２を備えている。このカムフォロワ３２は、固定筒２０の内周面部に形成されたカム溝２０ａに挿入されている。
中間筒３０には、光軸方向像側の端部の内周面部に固定リング３３がねじ結合によって固定されている。この固定リング３３は、円環状に形成され、その内径側に直進案内部３４、ストッパリング３５が配置されている。
【００１１】
直進案内部３４は、円環状に形成され、その外周縁部が固定リング３３の内径側に摺動可能に嵌合している。直進案内部３４は、光軸方向対物側に面した面部から光軸方向対物側に突き出して形成された直進キー３６を備えている。この直進キー３６は、後述する直進ガイド筒５０、第２レンズ群筒１００が光軸方向に駆動される際、その光軸Ｏ１まわりの回転を規制して光軸方向に直進案内するものである。
ストッパリング３５は、円環状に形成されている。このストッパリング３５は、直進案内部３４よりも光軸方向像側に配置され、ねじによって直進案内部３４に固定されている。ストッパリング３５は、中間筒３０の外径側に突き出して形成された突起３７を備えている。この突起３７は、その先端部が固定筒２０に形成された直進案内溝２３に挿入されている。
【００１２】
カム筒４０は、中間筒３０の内径側に挿入された筒体である。このカム筒４０は、光軸方向像側の外周面部にカムフォロワ４１を備えている。このカムフォロワ４１は、中間筒３０の内周面部に形成されたカム溝３０ａに挿入されるものである。
このカム筒４０は、その内周面部に２種類のカム溝４０ａ，４０ｂを備えている。カム溝４０ａには、後述する直進筒６０のカムフォロワ６８が挿入されており、カム溝４０ｂには、後述する第２レンズ群筒１００のカムフォロワ１０１が挿入されている。
直進ガイド筒５０は、カム筒４０の内径側に挿入された筒体である。この直進ガイド筒５０は、後述する直進筒６０を光軸方向に直進案内するものである。
【００１３】
直進筒６０は、直進ガイド筒５０の内径側に挿入された筒体であり、レンズ鏡筒１を構成する筒体のうち、カメラ２００の撮影状態において、最も対物側に配置される筒体である。
直進筒６０は、第１レンズ群室ガイド部６７を備えている。この第１レンズ群室ガイド部６７は、直進筒６０の内径側に挿入された後述する第１レンズ群室７０を光軸方向に直進案内するものである。
第１レンズ群室ガイド部６７は、直進筒６０の先端内側から光軸方行対物側に円柱状に突き出して形成されている。
直進筒６０は、光軸方向像側の外周面部にカムフォロワ６８を備えている。このカムフォロワ６８は、前述したようにカム筒４０の内周面部に形成されたカム溝４０ａに挿入されるものである。
【００１４】
第１レンズ群室７０は、直進筒６０の内径側に挿入された円環状の部材であり、その内周縁部に第１レンズ群Ｌ１が固定されている。この第１レンズ群室７０は、ガイド部７１、ガイド孔７２、ねじ部７３を備えている。
ガイド部７１は、第１レンズ群室７０の外周面部から径方向外側に突き出して形成された板状の部分である。
ガイド孔７２は、ガイド部７１における第１レンズ群室７０の周方向に沿った方向の中間部分に形成され、第１レンズ群室７０の径方向に延在して形成された長孔である。このガイド孔７２の一方の端部は、ガイド部７１において第１レンズ群室７０の外径側に開口しており、図３に示すように、前述の直進筒６０に設けられた第１レンズ群室ガイド部６７が挿入されている。
ねじ部７３は、第１レンズ群室７０の外周面部であって、前述のガイド部７１とは径方向の反対側に形成され、第１レンズ群室７０の外径側に突き出して形成されている。このねじ部７３は、後述するフォーカスレンズ駆動部８０の第２フォーカスギア８５に備えられた送りねじ８６に螺合する雌ねじ部（送りナット）７４を備えている。
【００１５】
フォーカスレンズ駆動部８０は、フォーカスモータ８１、ギア部８２を備えている。
フォーカスモータ８１は、直進筒６０に対して図示しない支持部材によって支持されたステッピングモータである。
本実施形態のフォーカスモータは、第１レンズ群Ｌ１に隣接し、かつ、カメラ２００の通常撮影位置において、第１レンズ群Ｌ１の上方に配置されている。フォーカスモータ８１は、カメラ２００に備えられた図示しない制御部からのフォーカシング指示に応じて回転され、第１レンズ群室７０を光軸方向に駆動するようになっている。
このフォーカスモータ８１の出力軸の軸線方向は、光軸Ｏ１と直交する方向であり、カメラ２００の通常撮影位置において水平面と略平行な方向である。
【００１６】
ギア部８２は、かさ歯車８３、第１フォーカスギア８４、第２フォーカスギア８５を備えている。
かさ歯車８３は、フォーカスモータ８１の出力軸の先端部に圧入されている。
第１フォーカスギア８４は、かさ歯車８３に隣接して配置され、その回転軸線は、光軸Ｏ１に略平行となっている。第１フォーカスギア８４は、かさ歯車８３と噛み合うかさ歯車部と、平歯車部とを備え、フォーカスモータ８１から出力される回転力の回転軸線方向を略９０°変えるようになっている。
第２フォーカスギア８５は、第１フォーカスギア８４の平歯車部に噛み合う平歯車である。第２フォーカスギア８５には、その回転に連動して回転する送りねじ８６が圧入されている。この送りねじ８６には、第１レンズ群室７０に形成された前述のねじ部７３に設けられた雌ねじ部７４が螺合しており、送りねじ駆動機構を構成している。この送りねじ８６が回転すると、第１レンズ群室７０が光軸方向に駆動され、第１レンズ群Ｌ１が光軸方向に移動する。
【００１７】
第２レンズ群筒１００は、カム筒４０の内径側に挿入された筒体である。この第２レンズ群筒１００は、カムフォロワ１０１を備えている。
カムフォロワ１０１は、第２レンズ群筒１００の外周面部に形成され、第２レンズ群筒１００の周方向に１２０°離間して、３つ設けられている。これらのカムフォロワ１０１は、カム筒４０の内周面部に形成されたカム溝４０ｂに挿入されている。
【００１８】
ＶＲユニット９０は、第２レンズ群筒１００に固定されており、第２レンズ群筒１００とともに移動を行う。ＶＲユニット９０は、後述の第２レンズ群室１１０を光軸Ｏ１に直交する平面内で移動可能に支持している。ＶＲユニット９０は、カメラ２００に備えられた図示しないセンサの出力に応じて、第２レンズ群室１１０を光軸Ｏ１に直交する平面内において、レンズ鏡筒１のピッチング、ヨーイングにそれぞれ対応した方向に移動（シフト）させることによって被写体像の像ブレ補正を行う。
ＶＲユニット９０には、図１に示すようにレンズ鏡筒１を収納状態とした場合にフォーカスモータ８１の一部と光軸方向の位置が重なる位置に空間を設けて、フォーカスモータ８１が収納可能なフォーカスモータ収納部９１としている。
第２レンズ群室１１０は、光軸Ｏ１に直交する平面内で移動可能にＶＲユニット９０により支持されている。第２レンズ群室１１０は、その中央部分に開口部が設けられた板状に形成され、この開口部の縁部に第２レンズ群Ｌ２が固定されている。したがって、第２レンズ群Ｌ２は、第２レンズ群筒１００の光軸方向の移動と同時に同一量だけ光軸方向に移動する。
【００１９】
シャッタユニット１６０は、第２レンズ群Ｌ２よりもＣＣＤ１１側に配置され、第２レンズ群筒１００に固定されている。
このシャッタユニット１６０は、それぞれ図示しない、露光時間を調整するセクタ（シャッタ幕）、及び、通過光量を調整する絞りを備えている。シャッタユニット１６０は、カメラ２００に備えられた図示しないシャッタレリーズスイッチの操作等に応じて駆動されるようになっている。
【００２０】
次に、レンズ鏡筒１の沈胴状態と撮影状態との間における移行時の動作、及び、ズーム時の動作を説明する。
カメラ２００は、撮影者等によって図示しない電源スイッチがオン操作されると、図示しないズーム駆動モータが回転し、駆動ギア２１が回転するので、駆動ギア２１とかみ合うギア部３１に回転駆動力が伝えられ、中間筒３０が回転する。これにより、中間筒３０は、固定筒２０のカム溝２０ａに案内されて光軸方向対物側に回転しながら繰り出される。また、図示しないズーム操作部材を操作することによっても、同様に、ズーム操作部材の操作方向に対応する方向の回転力が中間筒３０に伝わり、中間筒３０が回転しながら光軸方向に移動する。
【００２１】
中間筒３０が光軸方向対物側に繰り出されると、中間筒３０のカム溝３０ａに案内されてカム筒４０が光軸方向対物側に繰り出される。この逆に、中間筒３０が光軸方向像側に繰り込まれると、中間筒３０のカム溝３０ａに案内されてカム筒４０が光軸方向像側に繰り込まれる。
このカム筒４０の移動に伴い、第２レンズ群筒１００は、カム筒４０のカム溝４０ｂに案内されて光軸方向で移動する。このとき、第２レンズ群筒１００は、直進キー３６に案内されているので、回転することなく光軸方向に沿って直進する。
また、カム筒４０の移動に伴い、直進筒６０は、カム筒４０のカム溝４０ａに案内されて光軸方向に沿って移動する。このとき直進筒６０は、直進ガイド筒５０に案内されているので、回転することなく光軸方向に直進する。
【００２２】
ここで、本実施形態のレンズ鏡筒１では、ズーム動作（沈同状態と撮影可能状態との間の移行動作を含む、以下同様）で焦点距離を変更するときに、焦点距離（ズーム位置）が特定の範囲内となるときには、ズーム動作により第１レンズ群Ｌ１の位置を移動するために、フォーカスレンズ駆動部８０を併用する。以下、この点について説明する。
本実施形態のレンズ鏡筒１は、焦点距離が短い側（以下、ワイド側）ほど、第１レンズ群Ｌ１の繰り出し量が大きくなる光学系となっている。必要な繰り出し量の比較的少ない焦点距離が長い側（以下、テレ側）では、カム溝４０ａとのカム係合によって、第１レンズ群Ｌ１の必要な繰り出し量を確保できる。しかし、図４中に示したズーム位置Ｐ１よりもワイド側になると、必要な繰り出し量が、カム溝４０ａにより繰り出し可能な量を超えてしまう。
【００２３】
図４は、カム筒４０の内周に設けられたカム溝４０ａ及びカム溝４０ｂのカム曲線を示す展開図である。
図４において、実線は、本実施形態で設けたカム溝４０ａ及びカム溝４０ｂのカム曲線（カム溝の幅の中心での軌跡）を示し、破線は、カム溝４０ａのみによって第１レンズ群Ｌ１を繰り出すとした場合に必要となるカム曲線を示している。
なお、図４中で、１−ＨＰ，１−Ｗ，１−Ｔは、それぞれ第１レンズ群Ｌ１の沈胴位置，ワイド端位置，テレ端位置を示し、２−ＨＰ，２−Ｗ，２−Ｔは、それぞれ第２レンズ群Ｌ２の沈胴位置，ワイド端位置，テレ端位置を示している。
仮に、図４中に破線で示したカム曲線を実現しようとすると、カムの圧力角度が大きくなってしまい、駆動効率が悪くなってしまう。また、ワイド端位置でのカム溝４０ａがカム筒４０の光軸方向の幅からはみ出してしまい、カム溝４０ａが形成できなくなってしまう。この破線に対応したカム溝４０ａを成立させるためには、カム筒４０の光軸方向の幅を広げる必要があり、レンズ鏡筒及びカメラの大型化を招いてしまう。なお、ワイド端位置でのカム溝４０ｂについては、対応する部分のみカム筒４０の光軸方向の幅を広げることにより成立している。しかし、カム溝４０ａについては、被写体側に突出させると、そのままその部分がレンズ鏡筒から被写体側へ突出してしまうので、幅を広げることができない。
【００２４】
そこで、本実施形態では、カム溝４０ａによって第１レンズ群Ｌ１を繰り出す量を少なくして、図４に実線で示したカム曲線とし、不足する第１レンズ群Ｌ１の繰り出し量を、フォーカスレンズ駆動部８０の送りねじ８６により補うことにより、第１レンズ群Ｌ１を必要な位置に移動させている。
図５は、レンズ鏡筒１のズーム位置と、第１レンズ群Ｌ１の繰り出し量との関係を示す図である。図５の横軸は、沈胴位置を含めてズーム位置を示しており、縦軸は、沈胴位置を基準として第１レンズ群Ｌ１の繰り出される位置を示している。
図５において、右下がりの斜線を付した領域Ａは、カム溝４０ａとのカム係合によって第１レンズ群Ｌ１を繰り出す範囲を示し、左下がりの線間隔の細かい斜線を付した領域Ｂは、ズーム動作時に送りねじ８６を用いて第１レンズ群Ｌ１を繰り出す範囲を示し、右下がりの線間隔の細かい斜線を付した領域Ｃは、フォーカス動作時に送りねじ８６を用いて第１レンズ群Ｌ１を繰り出す範囲を示している。
【００２５】
図５中に示したズーム位置Ｐ１よりもワイド側の範囲では、ズーム動作により第１レンズ群Ｌ１を繰り出すときに、カム溝４０ａによる繰り出し量に、送りねじ８６による繰り出し量を加えることにより、所定の位置まで第１レンズ群Ｌ１を移動させる。
ここで、本実施形態のレンズ鏡筒１では、ズーム位置Ｐ１よりもワイド側の範囲におけるフォーカス動作時に以下の３つの注意すべき点が存在している。
注意点１：ズーム位置Ｐ１よりもワイド側の範囲では、ズーム動作による繰り出しに送りねじ８６を使っているので、その分だけ、フォーカス動作時に第１レンズ群Ｌ１を繰り出すことができる量が減る。
注意点２：本実施形態のレンズ鏡筒１は、ズーム位置によって像面移動係数が変化するので、撮影距離が無限の位置に対応した第１レンズ群Ｌ１の繰り出し位置から、同一の至近撮影距離に対応した第１レンズ群Ｌ１の繰り出し位置までの移動量が、ズーム位置により変わる。具体的には、同一の至近撮影距離に対応しようとすると、テレ側よりもワイド側の方が第１レンズ群Ｌ１を多く繰り出す必要がある。なお、図５中の破線Ｄは、ワイド端付近でもテレ端付近と同一の至近撮影距離に対応する場合に必要となる繰り出し位置を示している。
注意点３：第１レンズ群Ｌ１を送りねじ８６によって繰り出す量が多すぎると、直進筒６０の最も被写体側の前面（前面限界位置）よりも第１レンズ群Ｌ１が突出してしまう。
【００２６】
上述の注意点１，２は、送りねじ８６によって繰り出し可能な量を増加させることができれば、解決可能である。しかし、送りねじ８６による繰り出し可能な量を増加させると、送りねじ８６の長さが長くなり、小型化の障害となってしまう。また、注意点３にあるように、直進筒６０の最も被写体側の前面よりも第１レンズ群Ｌ１が突出してしまう。
そこで、本実施形態のレンズ鏡筒１では、図５中に示したズーム位置Ｐ２よりワイド側では、至近撮影を行うときであっても、ズーム位置Ｐ２におけるフォーカス動作時の繰り出し位置までしか、第１レンズ群Ｌ１を繰り出さないようにして、レンズ鏡筒の小型化を達成している。なお、これによりズーム位置Ｐ２よりワイド側では、最短撮影距離が若干短くなるが、テレ側では、より短い距離で撮影可能であるから、実使用上の問題はない。
【００２７】
なお、本実施形態では、ズーム位置Ｐ１よりワイド側では、カム溝４０ａによる繰り出しを行った後に、送りねじ８６による繰り出しを行う。このようにすることにより、同時に２つのモータが駆動されることを回避でき、より少ない電力で動作を行うことができる。なお、ズーム動作の速度を優先したい場合には、カム溝４０ａによる繰り出しと送りねじ８６による繰り出しを同時に行ってもよい。
【００２８】
本実施形態によれば、ズーム動作で必要な第１レンズ群Ｌ１の繰り出しを、ワイド側の所定の範囲内では、カム溝４０ａによる繰り出しと、送りねじ８６による繰り出しとを併用することとしたので、ズーム動作時の第１レンズ群Ｌ１の繰り出し量を多くでき、高倍率であって小型のレンズ鏡筒及びカメラとすることができる。また、カム溝４０ａのカムの圧力角度を少なくできるので、ズーム駆動に必要な駆動力も少なくて済み、駆動をスムーズに行えるとともに、消費電力も低く抑えることができる。
【００２９】
（変形形態）
以上説明した実施形態に限定されることなく、種々の変形や変更が可能であって、それらも本発明の均等の範囲内である。
（１）本実施形態において、デジタルカメラを例に挙げて説明したが、これに限らず、例えば、フィルムカメラであってもよいし、ビデオカメラであってもよい。
【００３０】
（２）本実施形態において、カム溝による繰り出しと送りねじによる繰り出しとを組み合わせる例を挙げて説明したが、これに限らず、例えば、カム溝による繰り出しと超音波モータ等の振動アクチュエータによる繰り出しとを組み合わせたり、２つの異なる送りねじ機構による繰り出しを組み合わせたりしてもよい。
【図面の簡単な説明】
【００３１】
【図１】本実施形態のレンズ鏡筒の光軸を含む断面における断面図であって収納状態を示している。
【図２】図１のレンズ鏡筒の撮影状態における断面図である。
【図３】直進筒６０及び直進筒６０に関連する部材を光軸方向像側から見た図である。
【図４】カム筒４０の内周に設けられたカム溝４０ａ及びカム溝４０ｂのカム曲線を示す展開図である。
【図５】レンズ鏡筒１のズーム位置と、第１レンズ群Ｌ１の繰り出し量との関係を示す図である。
【符号の説明】
【００３２】
１：レンズ鏡筒、２０：固定筒、３０：中間筒、４０：カム筒、４０ａ：カム溝、５０：直進ガイド筒、６０：直進筒、７０：第１レンズ群室、８０：フォーカスレンズ駆動部、８６：送りねじ、１００：第２レンズ群筒、２００：カメラ、Ｌ１：第１レンズ群、Ｌ２：第２レンズ群
【図１】
2007333764.tif 000003
【図２】
2007333764.tif 000004
【図３】
2007333764.tif 000005
【図４】
2007333764.tif 000006
【図５】
2007333764.tif 000007